(57)【要約】【課題】従来の給水装置が移動できないという問題を解決し、任意の位置に便利に移動することができる、実用的かつ進歩的な移動式水洗装置の提供。【解決手段】本考案の移動式水洗装置は、本体を備え、前記本体に出水部材が接続され、さらに１つ以上の貯水タンクと移動装置を含み、前記貯水タンクが本体内に設置され、且つ入水口と出水口が設けられ、前記出水口が前記出水部材に接続され、前記移動装置が本体底部に設置され、貯水タンクに入水口から水を補充した後、移動装置により前記移動式水洗装置を隨意の位置に移動して水源を提供するという目的を達する。【選択図】図１
0003140790.tif 000002
【実用新案登録請求の範囲】
【請求項１】
本体を備え、前記本体に出水部材が接続され、前記本体内に１つ以上の貯水タンクが設置され、前記貯水タンクに入水口と出水口が設けられ、前記出水口が前記出水部材に接続され、前記本体底部に移動装置が設置され、前記移動装置により任意の位置に移動させることができる、移動式水洗装置。       
【請求項２】
前記本体にシンクが設置され、前記シンクに排水孔が設けられ、前記排水孔上にフィルタが設置され、さらにホースが接続されたことを特徴とする、請求項１に記載の移動式水洗装置。
【請求項３】
前記入水口に入水管が接続され、前記入水管に１つ以上のノズルが配設され、前記ノズルが前記貯水タンク底部と相通し、且つ、前記ノズルが前記貯水タンク底部に向かって徐々に窄まった形状を成すことを特徴とする、請求項１に記載の移動式水洗装置。        
【請求項４】
前記移動装置が、キャスターセット、タイヤセットまたはベルトホイールセットのいずれかであることを特徴とする、請求項１に記載の移動式水洗装置。
【請求項５】
前記本体内にさらに汚水タンクが設置され、前記汚水タンクに前記ホースが接続され、且つ、前記汚水タンクに汚水管が接続されたことを特徴とする、請求項２に記載の移動式水洗装置。          
【請求項６】
前記本体がさらに上本体と下本体に分離され、前記上本体内に前記貯水タンクが収容され、前記下本体に前記移動装置が設置され、前記上本体と下本体間に昇降装置が接続されたことを特徴とする、請求項１に記載の移動式水洗装置。
【請求項７】
前記上本体にシンクが設置され、前記シンクに排水孔が設けられ、前記排水孔上にフィルタが設置され、さらにホースが接続されたことを特徴とする、請求項６に記載の移動式水洗装置。        
【請求項８】
前記昇降装置が、気圧昇降、液圧昇降、ネジを利用した昇降のいずれかであることを特徴とする、請求項６に記載の移動式水洗装置。
【請求項９】
前記下本体内にさらに汚水タンク収容され、前記汚水タンクに前記ホースが接続され、且つ前記汚水タンクに汚水管が接続されたことを特徴とする、請求項７に記載の移動式水洗装置。        
【請求項１０】
前記出水口がさらに温水器に接続され、且つ、前記温水器が前記出水部材に接続されたことを特徴とする、請求項１または６に記載の移動式水洗装置。
【考案の詳細な説明】
【技術分野】
【０００１】
本考案は移動式水洗装置に関し、特に、任意の位置に便利に移動することができる、移動式水洗装置に関する。
【背景技術】
【０００２】
一般に、人々が身体や顔、頭髪等の部位を洗うとき、シンクとシャワーヘッドや蛇口などの出水部材を必要とするが、従来の水源を供給する設備は通常浴室や厨房等の一定の場所に固定されており、前記の場所で水源を使用する必要があるときは、水源を供給する設備が固定された場所へ行かなければならない。
【０００３】
上述の水源供給装置は使用時に次のような問題と欠点がある。現有の水源供給設備は水源を供給する水管が接続されているため、前記設備は適切な場所に固定される必要があり、任意に位置を変えたり移動させたりすることはできないため、行動が不自由な妊婦や老人、病気で寝たきりの人等にとっては使用に不便であり、特に、医療機関や老人ホーム、乳児室等においてきれいな水源を取得際の不便さは関連者が解決する必要がある問題である。
【０００４】
このため、いかに上述の従来の問題と欠点を解決するかが本考案の考案者及び関連産業のメーカーが改善を研究する方向性である。
【考案の開示】
【考案が解決しようとする課題】
【０００５】
本考案の考案者は上述の欠点に鑑みて、関連資料を収集し、多方面での評価と考慮を経て、関連産業に於ける長年の経験に基づき、試作と修正を重ね、ついに任意の位置に移動して便利に使用することができる移動式水洗装置の実用新案の設計に至ったものである。
【０００６】
本考案の主な目的は、従来の給水装置が移動できないという問題を解決し、任意の位置に便利に移動することができる、実用的かつ進歩的な移動式水洗装置を提供することにある。      
【課題を解決するための手段】
【０００７】
本考案の移動式水洗装置は、本体を備え、前記本体に出水部材が接続され、且つ、本体内に設置された１つ以上の貯水タンクを含み、前記貯水タンクには入水口と出水口が設けられ、前記出水口が前記出水部材に接続されると共に、本体底部にはさらに移動装置が設置され、これにより、前記貯水タンクに入水口から水を入れた後、移動装置を使って前記移動式水洗装置を任意の場所に移動して水源を提供するという目的を達することができる。
【考案の効果】
【０００８】
すべての図に示すように、本考案の使用時には、従来技術と比較して、次のような利点がある。
【０００９】
本考案の移動式水洗装置０は本体１を備え、前記本体１に出水部材１０が接続され、且つ、１つ以上の貯水タンク２と移動装置３を含み、前記貯水タンク２は本体１内に設置され、前記貯水タンク２には入水口２１と出水口２４が設けられ、前記出水口２４は前記出水部材１０に接続されると共に、前記移動装置３は本体１底部に設置され、移動装置３はキャスターセット、タイヤセットまたはベルトホイールセットのいずれかとすることができ、入水口２１から水源を補充した後、前記貯水タンク２は気圧の原理を利用してきれいな水源６を出水部材１０へと送って流出させ、且つ移動装置３により本考案の移動式水洗装置を隨意の位置に移動してきれいな水源６を提供するという目的を達することができる。
【考案を実施するための最良の形態】
【００１０】
上述の目的及び効果を達成するため、本考案が採用する技術手段及び構造について、以下、本考案の最良の実施例と図面に基づき、その特徴と機能を詳細に説明する。
【００１１】
図１と図２に本考案の最良の実施例１の立体図と断面図をそれぞれ示す。これらの図からはっきりと分かるように、本考案の移動式水洗装置０は本体１を備え、前記本体１に出水部材１０とシンク１１が接続され、前記出水部材１０はシャワーヘッド、蛇口、スプリンクラー、水管のいずれかとすることができ、前記シンク１１は排水孔１２が設けられ、前記排水孔１２上にはフィルタ１３が設置されると共に、ホース１４が接続される。
【００１２】
さらに、本考案の移動式水洗装置０は１つ以上の貯水タンク２を含み、本体１内に設置され、前記貯水タンク２は入水口２１と出水口２４が設けられ、前記入水口２１は１つ以上のノズル２３が配設された入水管２２が接続され、前記ノズル２３は前記貯水タンク２の底部と相通しており、且つ、前記ノズル２３は前記貯水タンク２底部に向かって徐々に窄まった形状を呈し、前記出水口２４は前記出水部材１０に接続される。
【００１３】
さらに、本体１底部に移動装置３が設置され、且つ、前記移動装置３はキャスターセット、タイヤセットまたはベルトホイールセットのいずれかとすることができ、移動装置３の設置により前記移動式水洗装置を任意の位置に移動すると言う目的を達することができる。
【００１４】
また、前記本体１は前記貯水タンク２と相通する水位表示器１５が設けられ、前記本体１の外壁にはハンドル１６が設置され、隨時水量を監視できると共に、より便利に移動させることができる。
【実施例１】
【００１５】
上述の構造、組み立て設計により、本考案の使用時の作動状況を次に説明する。図３、図４、図５に本考案の最良の実施例１の使用状態を示す断面図一、二、三をそれぞれ示す。これらの図からはっきりと分かるように、上述の構成部材が動作するときは、入水口２１からきれいな水源６が補充され、きれいな水源６は入水管２２を経由して貯水タンク２内に流入し、前記入水管２２には１つ以上のノズル２３が配設され、前記ノズル２３は前記貯水タンク２底部と相通しており、且つ前記ノズル２３は前記貯水タンク２底部に向かって徐々に窄まった形状を呈し、前記ノズル２３の窄まった形状により、きれいな水源６が流入するときの水圧が増加され、それにより貯水タンク２内の気圧が増加し、きれいな水源６をいっぱいに補充した後入水口２１を閉じる。前記移動式水洗装置０を使用する必要があるときは、貯水タンク２内の気圧が外界空間の気圧より大きいため、前記出水部材１０を開くと、貯水タンク２がきれいな水源６を出水部材１０方向へと流出させる力を発生し、前記出水部材１０に適切な出水水圧を与え、且つ、本体１底部に設けた移動装置３により、任意の位置に移動して便利にきれいな水源６を提供するという目的を達することができる。
【実施例２】
【００１６】
同時に図６に本考案の最良の実施例２の使用状態を示す断面図を示す。この図からはっきりと分かるように、前記本体１内にさらに汚水タンク４を設置することができ、前記汚水タンク４はホース１４が接続され、且つ、前記汚水タンク４は汚水管４１が接続され、使用した後の汚水７がシンク１１の排水孔１２に流入した後、汚水７はホース１４を経由して汚水タンク４に流入して保存され、汚水７を排出する必要があるときは、前記汚水管４１により本体１の外へ流出させることができる。
【実施例３】
【００１７】
同時に図７に本考案の最良の実施例３の使用状態を示す断面図を示す。この図からはっきりと分かるように、本考案の移動式水洗装置０の本体１はさらに上本体１７と下本体１８に分離することができ、前記上本体１７内に前記貯水タンク２が収容され、前記下本体１８に前記移動装置３が接続される。前記上本体１７と下本体１８間には昇降装置５が接続され、前記昇降装置５は気圧昇降、液圧昇降またはネジを利用した昇降のいずれかとすることができる。前記上本体１７にはシンク１１が設置され、前記シンク１１に排水孔１２が設けられ、前記排水孔１２上にフィルタ１３が設置され、さらにホース１４が接続される。前記下本体１８内には汚水タンク４が収容され、前記汚水タンク４にはホース１４と汚水管４１が接続される。使用する必要があるときは、入水口２１からきれいな水源６を補充し、さらに出水口２４から出水部材１０へと流出させ、汚水７は排水孔１２からホース１４を経由して汚水タンク４へ流入して保存され、汚水７を排出する必要があるときは、前記汚水管４１により本体１の外へ流出させる。また、昇降装置５の設置により、隨意の高さに調整してきれいな水源６を提供するという目的を達することができる。
【実施例４】
【００１８】
同時に図８に本考案の最良の実施例４の使用状態を示す断面図を示す。この図からはっきりと分かるように、本考案の移動式水洗装置０は、出水口２４にさらに温水器８を接続することができ、且つ、前記温水器８は前記出水部材１０が接続され、入水口２１からきれいな水源６を充分に補充した後、使用時はきれいな水源６がまず出水口２４から温水器８へ流入し、温度を上げてから出水部材１０を経由して流出させることができ、前記温水器８の設置により、任意の位置に移動して温水を提供するという目的を達することができる。
【００１９】
以上での説明は本考案の最良の実施例に基づくものであり、本考案の特許範囲を制限するものではなく、本考案の明細書及び図面の内容を運用した簡易な修飾及び同等効果を得る構造変化はすべて本考案の特許範囲内に含まれるものとする。
【００２０】
上述をまとめると、本考案の移動式水洗装置は使用時に確実にその効果と目的を達することができるため、本考案は実用性に優れた創作であり、実用新案登録の出願要件を満たしているため、法に基づきここに出願を提出するものである。
【図面の簡単な説明】
【００２１】
【図１】本考案の最良の実施例の立体図である。
【図２】本考案の最良の実施例の断面図である。
【図３】本考案の最良の実施例１の使用状態を示す断面図一である。
【図４】本考案の最良の実施例１の使用状態を示す断面図二である。
【図５】本考案の最良の実施例１の使用状態を示す断面図三である。
【図６】本考案の最良の実施例２の使用状態を示す断面図である。
【図７】本考案の最良の実施例３の使用状態を示す断面図である。
【図８】本考案の最良の実施例４の使用状態を示す断面図である。
【符号の説明】
【００２２】
０        移動式水洗装置
１        本体
１０      出水部材
１１      シンク
１２      排水孔
１３      フィルタ
１４      ホース
１５      水位表示器
１６      ハンドル
１７      上本体
１８      下本体
２        貯水タンク
２１      入水口
２２      入水管
２３      ノズル
２４      出水口
３        移動装置
４        汚水タンク
４１      汚水管
５        昇降装置
６        きれいな水源
７        汚水
８        温水器
【図１】
0003140790.tif 000003
【図２】
0003140790.tif 000004
【図３】
0003140790.tif 000005
【図４】
0003140790.tif 000006
【図５】
0003140790.tif 000007
【図６】
0003140790.tif 000008
【図７】
0003140790.tif 000009
【図８】
0003140790.tif 000010